(57)【要約】【課題】自車両前方で道路の勾配が変化する場合であっても前方車両を適切に検出可能な前照灯制御装置を提供する。【解決手段】自車両前方を照射する前照灯の配光パターンを自動的に切り替える前照灯制御装置であって、自車両前方の画像を逐次撮像する撮像手段と、撮像手段が逐次撮像した画像から他車両の光源を認識する他車両認識手段と、他車両認識手段による他車両の光源の認識に応じて他車両への眩惑が抑制されるよう配光パターンを切り替える配光制御手段とを備える前照灯制御装置を、自車両が走行中の路面の勾配を検出する勾配検出手段を備え、他車両認識手段は、画像内に所定の水平ラインを設定し、水平ラインよりも下方で予め設定された条件を充足する高輝度画素群を他車両であると認識するとともに、勾配検出手段が下り勾配を検出した場合には水平ラインを平地走行時に対して上方にオフセットし、上り勾配を検出した場合には水平ラインを平地走行時に対して下方にオフセットする構成とする。【選択図】図３
2015044426.tif 000002
【特許請求の範囲】
【請求項１】
自車両前方を照射する前照灯の配光パターンを自動的に切り替える前照灯制御装置であって、
自車両前方の画像を逐次撮像する撮像手段と、
前記撮像手段が逐次撮像した画像から他車両の光源を認識する他車両認識手段と、
前記他車両認識手段による他車両の光源の認識に応じて他車両への眩惑が抑制されるよう前記配光パターンを切り替える配光制御手段と
を備える前照灯制御装置であって、
自車両が走行中の路面の勾配を検出する勾配検出手段を備え、
前記他車両認識手段は、前記画像内に所定の水平ラインを設定し、前記水平ラインよりも下方で予め設定された条件を充足する高輝度画素群を他車両であると認識するとともに、前記勾配検出手段が下り勾配を検出した場合には前記水平ラインを平地走行時に対して上方にオフセットし、上り勾配を検出した場合には前記水平ラインを平地走行時に対して下方にオフセットすること
を特徴とする前照灯制御装置。
【請求項２】
自車両前方を照射する前照灯の配光パターンを自動的に切り替える前照灯制御装置であって、
自車両前方の画像を逐次撮像する撮像手段と、
前記撮像手段が逐次撮像した画像から他車両の光源を認識する他車両認識手段と、
前記他車両認識手段による他車両の光源の認識に応じて他車両への眩惑が抑制されるよう前記配光パターンを切り替える配光制御手段と
を備える前照灯制御装置であって、
自車両が走行中の車線における自車両前方の路面の勾配の現在走行中の路面の勾配に対する変化を検出する勾配変化検出手段を備え、
前記他車両認識手段は、前記画像内に所定の水平ラインを設定し、前記水平ラインよりも下方で予め設定された条件を充足する高輝度画素群を他車両であると認識するとともに、前記勾配変化検出手段が上り方向への勾配変化を検出した場合には前記水平ラインを平地走行時に対して上方にオフセットし、下り方向への勾配変化を検出した場合には前記水平ラインを平地走行時に対して下方にオフセットすること
を特徴とする前照灯制御装置。
【請求項３】
前記撮像手段は撮像された光源の自車両に対する相対距離を逐次検出可能なステレオカメラを有し、
前記他車両認識手段は、前記光源の自車両に対する相対距離の推移に基づいて前記他車両の光源を認識すること
を特徴とする請求項１又は請求項２に記載の前照灯制御装置。
【発明の詳細な説明】
【技術分野】
【０００１】
本発明は、自車両前方の状況を検出して配光パターンを自動的に切り替える前照灯制御装置に関し、特に自車両前方で道路の勾配が変化する場合であっても前方車両を適切に検出可能なものに関する。
【背景技術】
【０００２】
自動車等の車両の前照灯は、一般的に走行用ビーム（ハイビーム）と、すれ違い用ビーム（ロービーム）とを切り換え可能、又は、走行用ビームをすれ違い用ビームとは独立して消灯可能となっている。
近年、自車両前方の状況をカメラやレーダ等によって認識し、グレア（眩輝）が問題となり得る対向車、先行車等の前方車両を検出した場合には、自動的にハイビームからロービームへ切り替える機能（オートハイビーム機能）が提案されている。
【０００３】
このようなオートハイビームに関する従来技術として、例えば特許文献１には、車載カメラ等によって前方車両を検出してハイビーム用配光パターン、ロービーム用配光パターンの切り替えを行う車両用前照灯において、カメラ等の画角外（死角）から対向車が接近する急カーブ路の走行時に、対向車検出が成立せず対向車にグレアを与えることを防止するため、前方車両の検出有無に関わらずロービーム用配光パターンを選択することが記載されている。
【０００４】
また、オートハイビーム制御を行なう場合、前方車両の光源を精度よく識別することが重要となる。
こうした光源識別に関する従来技術として、例えば特許文献２には、光源が移動光源であるか静止光源であるかを識別してオートハイビーム制御に反映させることが記載されている。
【先行技術文献】
【特許文献】
【０００５】
【特許文献１】特開２０１１−２５５８２６号公報
【特許文献２】特許第３６６０８７７号
【発明の概要】
【発明が解決しようとする課題】
【０００６】
上述したようなオートハイビーム機能を有する前照灯制御装置においては、自車両前方を撮像した画像内に地面と空間との境目である水平ラインを設定し、水平ラインよりも下方で所定の軌跡を示す高輝度画素群を対向車、先行車等の前方車両であると認識する。
しかし、自車両の前方で路面の勾配が谷のように変化する場合、前方車両が水平ラインよりも上方に撮像される場合などが生じ、前方車両の認識が遅れてハイビームの消灯が遅れ、前方車両にグレアを与えることが懸念される。
本発明の課題は、自車両前方で道路の勾配が変化する場合であっても前方車両を適切に検出可能な前照灯制御装置を提供することである。
【課題を解決するための手段】
【０００７】
本発明は、以下のような解決手段により、上述した課題を解決する。
請求項１に係る発明は、自車両前方を照射する前照灯の配光パターンを自動的に切り替える前照灯制御装置であって、自車両前方の画像を逐次撮像する撮像手段と、前記撮像手段が逐次撮像した画像から他車両の光源を認識する他車両認識手段と、前記他車両認識手段による他車両の光源の認識に応じて他車両への眩惑が抑制されるよう前記配光パターンを切り替える配光制御手段とを備える前照灯制御装置であって、自車両が走行中の路面の勾配を検出する勾配検出手段を備え、前記他車両認識手段は、前記画像内に所定の水平ラインを設定し、前記水平ラインよりも下方で予め設定された条件を充足する高輝度画素群を他車両であると認識するとともに、前記勾配検出手段が下り勾配を検出した場合には前記水平ラインを平地走行時に対して上方にオフセットし、上り勾配を検出した場合には前記水平ラインを平地走行時に対して下方にオフセットすることを特徴とする前照灯制御装置である。
これによれば、自車両が下り勾配を有する路面を走行している場合には、水平ラインを上方にオフセットすることによって、平地走行時における前方車両検出領域の上方に存在する前方車両を適切に検出することが可能となる。
一方、自車両が上り勾配を有する路面を走行している場合には、水平ラインを下方にオフセットすることによって、地面よりも上方に存在する街灯等の光源が平地走行時における前方車両検出領域に入って前方車両と誤認識されることを防止できる。
【０００８】
請求項２に係る発明は、自車両前方を照射する前照灯の配光パターンを自動的に切り替える前照灯制御装置であって、自車両前方の画像を逐次撮像する撮像手段と、前記撮像手段が逐次撮像した画像から他車両の光源を認識する他車両認識手段と、前記他車両認識手段による他車両の光源の認識に応じて他車両への眩惑が抑制されるよう前記配光パターンを切り替える配光制御手段とを備える前照灯制御装置であって、自車両が走行中の車線における自車両前方の路面の勾配の現在走行中の路面の勾配に対する変化を検出する勾配変化検出手段を備え、前記他車両認識手段は、前記画像内に所定の水平ラインを設定し、前記水平ラインよりも下方で予め設定された条件を充足する高輝度画素群を他車両であると認識するとともに、前記勾配変化検出手段が上り方向への勾配変化を検出した場合には前記水平ラインを平地走行時に対して上方にオフセットし、下り方向への勾配変化を検出した場合には前記水平ラインを平地走行時に対して下方にオフセットすることを特徴とする前照灯制御装置である。
これによれば、自車両前方の勾配変化に応じて水平ラインを上方、下方にオフセットすることによって、水平ラインを適切に設定し、上述した効果と実質的に同様の効果をより確実に得ることができる。
【０００９】
請求項３に係る発明は、前記撮像手段は撮像された光源の自車両に対する相対距離を逐次検出可能なステレオカメラを有し、前記他車両認識手段は、前記光源の自車両に対する相対距離の推移に基づいて前記他車両の光源を認識することを特徴とする請求項１又は請求項２に記載の前照灯制御装置である。
これによれば、検出された光源が対向車、先行車等の移動光源であるか、街灯などの固定光源であるかを精度よく判別することができる。
【発明の効果】
【００１０】
以上説明したように、本発明によれば、自車両前方で道路の勾配が変化する場合であっても前方車両を適切に検出可能な前照灯制御装置を提供することができる。
【図面の簡単な説明】
【００１１】
【図１】本発明を適用した前照灯制御装置の実施例１の構成を示すブロック図である。
【図２】実施例１の前照灯制御装置における自車両前方の画像の一例を模式的に示す図である。
【図３】実施例１の前照灯制御装置におけるオートハイビーム制御を示すフローチャートである。
【図４】自車両が下り坂を走行している場合における対向車との位置関係と、撮像画像上の対向車位置及び水平ライン補正を示す模式図である。
【図５】自車両が上り坂を走行している場合における対向車との位置関係と、撮像画像上の対向車位置及び水平ライン補正を示す模式図である。
【発明を実施するための形態】
【００１２】
本発明は、自車両前方で道路の勾配が変化する場合であっても前方車両を適切に検出可能な前照灯制御装置を提供する課題を、自車両が走行している路面の勾配、又は、自車両前方での勾配の変化に応じて、撮像画像内に設定される水平ラインを上下方向にオフセット補正することによって解決した。
【実施例１】
【００１３】
以下、本発明を適用した前照灯制御装置の実施例１について説明する。
実施例１の前照灯制御装置は、例えば乗用車等の自動車の車体前部に設けられ、自車両前方の所定の領域を照射する前照灯を制御するものである。
【００１４】
図１は、実施例の前照灯制御装置の構成を示すブロック図である。
図１に示すように、前照灯制御装置１は、左側前照灯１１、右側前照灯１２、コントローラ２０、前照灯ユニット３０、カメラユニット４０、走行情報検出ユニット５０、勾配検出手段６０等を有して構成されている。
【００１５】
左側前照灯１１、右側前照灯１２は、車体前部の左右にそれぞれ設けられている。
左側前照灯１１、右側前照灯１２は、自車両前方を例えば１００ｍ以上前方まで照射するハイビーム（走行用ビーム）、及び、自車両前方を例えば４０ｍ程度前方まで照射するロービーム（すれ違い用ビーム）を選択可能となっている。
左側前照灯１１、右側前照灯１２は、ハイビーム用、ロービーム用として例えばＬＥＤ等の光源と、光源が発生する光を所定の配光パターンで投光するプロジェクタ型又はリフレクタ型の光学系等をそれぞれ有する。
ハイビーム用、ロービーム用の光源は独立して点灯、消灯が可能となっており、ハイビーム点灯時にはロービームも同時点灯されるようになっている。
【００１６】
コントローラ２０は、図示しないバッテリ等の電源から供給される電力を、左側前照灯１１、右側前照灯１２の各光源に供給するものである。
コントローラ２０は、前照灯制御ユニット３０からの制御信号に応じて、左側前照灯１１、右側前照灯１２のハイビーム用光源、ロービーム用光源をそれぞれ点灯、消灯させる。
【００１７】
前照灯制御ユニット３０は、車体に設けられる各種電装品を統括的に制御する情報処理装置である。
前照灯制御ユニット３０は、ＣＰＵ等の情報処理装置、ＲＡＭやＲＯＭ等の記憶手段、入出力インターフェイス及びこれらを接続するバス等を有して構成されている。
前照灯制御ユニット３０は、コントローラ２０に制御信号を与え、左側前照灯１１、右側前照灯１２のハイビーム点灯、ロービーム点灯、消灯を切り替える機能を有する。
【００１８】
前照灯制御ユニット３０には、スイッチ３１、照度センサ３２等が接続されている。
スイッチ３１は、例えば、車室内のステアリングコラム部等に設けられ、ドライバが前照灯を操作する操作入力手段である。
スイッチ３１は、例えば、オフ（消灯）、ロービーム点灯、ハイビーム点灯の手動選択のほか、オートモードの選択が可能となっている。
オートモードは、車両外部の明暗等を検出して、前照灯を自動的に点灯、消灯させるものである。
【００１９】
また、オートモードは、さらにオートハイビームモードを備えている。
オートハイビームモードは、自車両前方をカメラユニット４０で逐次撮像して得た時系列の画像に基づいて、対向車、先行車等の前方車両の灯火類（光源）の有無や市街地走行等を判別し、通常時はハイビーム点灯を行うとともに、所定範囲内に前方車両を検出したり、市街地走行を検出した場合には自動的にロービーム点灯に切り替えるものである。
前照灯制御ユニット３０は、カメラユニット４０等からの情報に基づいて他車両の光源を認識する他車両認識手段、その認識結果に応じてハイビーム点灯、ロービーム点灯を切り替える配光制御手段として機能する。
【００２０】
照度センサ３２は、車両外部の明るさを検出する明度センサである。
照度センサ３２は、例えば、フロントウインドウガラスの周縁部における車室内に設けられている。
【００２１】
カメラユニット４０は、例えば車幅方向に離間して配置された一対のカメラによって自車両前方を撮像するステレオカメラ、及び、その撮像画像を画像処理するステレオ画像処理手段等を備えている。
カメラユニット４０は、例えばＣＭＯＳ、ＣＣＤ等の固体撮像素子によって、所定の画角内に含まれる範囲内を所定のフレームレートで逐次撮像し、得られた時系列の画像データを順次前照灯制御ユニット３０に提供する。
また、カメラユニット４０は、公知のステレオ画像処理技術によって、特定の被写体に相当する画素群のステレオ画像上における視差に基づいて、三角測量の原理により、自車両から被写体までの相対距離を検出可能となっている。
カメラユニット４０は、例えば、車室内におけるルームミラー基部（フロントウインドウガラス上端部）に隣接して設けられる。
【００２２】
走行情報検出ユニット５０には、図示しない車速センサ、舵角センサ、車体横加速度センサ、車体ヨーレートセンサ等が接続されている。
走行情報検出ユニット５０は、これらの各ユニットの出力に基づいて、車速、舵角（ハンドル角）、車体横加速度（横Ｇ）、車体ヨーレート等の車両状態に関する情報を前照灯制御ユニット３０に提供する。
【００２３】
傾斜検出手段６０は、自車両が走行中の路面の前後方向の勾配（傾斜）を検出するものである。
傾斜検出手段６０は、例えば、車両前後方向の加速度を検出する加速度センサや、車両の変速機を統括的に制御する図示しないトランスミッション制御手段から取得される駆動トルク等に関する情報に基づいて、勾配を推定する推定手段等を有して構成されている。
【００２４】
次に、実施例の前照灯制御装置におけるオートハイビーム制御のための光源認識について説明する。
図２は、実施例の前照灯制御装置における自車両前方の画像の一例を模式的に示す図である。
画像１００には、例えば、自車両走行車線１０１、対向車線１０２、ガードレール１０３、反射板１０４、街灯１０５、対向車１０６等にそれぞれ対応する画素群が含まれている。
【００２５】
また、画像１００において、画像処理における基準線である水平ラインＨが設けられる。
水平ラインＨは、路面部分と空間部との境目を示す線であり、画像１００の中央部に水平方向に延在する。
夜間である場合には、画像１００においては、主に光源に対応する画素群が検出される。
逐次撮像される画像１００を時系列に比較した場合、自車両の左側に存在する反射板１０４、街灯１０５の光は、時間経過とともに画面中央部からそれぞれ左下方向、左上方向に変位していく。
また、自車両の右側（対向車線側）に存在する反射板１０４の光は、時間経過とともに画面中央部から右下方向へ変位する。
【００２６】
これに対し、対向車１０６の前照灯は、他の光源に対して輝度が大きく、画面中央部から右下方向へ、水平ラインＨよりも下方で変位することによって特徴付けられる。
前照灯制御ユニット３０は、このような特徴に基づいて、対向車１０６を認識・検出可能となっている。
また、自車両前方の走行車線上でありかつ水平ラインＨの下方に、テールランプに相当する赤色系の高輝度画素群が検出された場合には、先行車として認識する。
さらに、街灯１０５等の車両以外の光源が所定の基準以上に多く分布している場合には、市街地走行中であると判断し、前照灯制御ユニット３０は、左側前照灯１１、右側前照灯１２をともにロービーム点灯とする。
【００２７】
また、実施例１においては、自車両が走行中の路面の前後方向の勾配に応じて、水平ラインＨを上下にオフセットする補正を行っている。
図３は、実施例の前照灯制御装置におけるオートハイビーム制御を示すフローチャートである。
以下、ステップ毎に順を追って説明する。
なお、初期状態においては左右前照灯１１，１２はハイビーム点灯状態となっている。
＜ステップＳ０１：光源検出＞
前照灯制御ユニット３０は、カメラユニット４０が撮像した画像から、所定以上の輝度の画素群を光源として抽出する。
その後ステップＳ０２に進む。
【００２８】
＜ステップＳ０２：勾配検出＞
前照灯制御ユニット３０は、勾配検出手段６０から自車両が現在走行中の路面の勾配に関する情報を取得する。
この情報には、勾配の大きさに関するパラメータである勾配値に関する情報が含まれる。
その後、ステップＳ０３に進む。
【００２９】
＜ステップＳ０３：勾配判定＞
前照灯制御ユニット３０は、ステップＳ０２において取得した勾配値が予め設定された所定値以上である場合には、勾配路走行中であると認識し、ステップＳ０４及びステップＳ０５にそれぞれ進む。
一方、勾配値が所定値未満である場合には、平地走行であると認識し、ステップＳ０７に進む。
【００３０】
＜ステップＳ０４：勾配値に応じた水平ラインオフセット＞
前照灯制御ユニット３０は、ステップＳ０２において取得された勾配値に応じて、上述した光源認識において用いられる水平ラインＨを上下方向にオフセットする補正を行う。
【００３１】
図４は、自車両が下り坂を走行している場合における対向車との位置関係と、撮像画像上の対向車位置及び水平ライン補正を示す模式図である。
図４（ａ）は、路面、自車両２００及び対向車１０６の模式的側面視図であり、図４（ｂ）は、撮像された画像の一例を示す模式図である（後述する図５において同様）。
図４（ａ）に示すように、自車両２００が下り坂を走行している場合には、下り坂の前方に存在する平坦路は、自車両２００の車両前後方向に対して、上方を見上げる方向に見えることになる。
仮にこのような領域を対向車１０６が走行している場合には、画像１００内においては水平ラインＨよりも上方に存在することになり、通常の光源認識では対向車１０６が接近して水平ラインＨよりも下方となるまで対向車としての認識が成立せず、ハイビーム状態が維持されてグレアを与えることになってしまう。
そこで、実施例１においては、自車両２００が下り坂を走行している場合には、勾配値に応じて、水平ラインＨを上方へシフトさせる補正を行っている。
このシフト量は、勾配値の増加に応じて大きくなるように設定される。
【００３２】
図５は、自車両が上り坂を走行している場合における対向車との位置関係と、撮像画像上の対向車位置及び水平ライン補正を示す模式図である。
図５（ａ）に示すように、自車両２００が上り坂を走行している場合には、自車両前方の車線は、画像１００上においては上り坂の終端付近までしか撮像されなくなり、それよりも遠方を走行する前方車両の撮像及び検出は実質的に不可能である。このため、水平ラインＨを下方へオフセットさせたとしても、前方車両の検出性能に影響を与えることはない。
一方、図５（ｂ）に示すように、上り坂の終端よりも遠方に存在する街灯１０５などの光源は、一部が平坦路走行時の水平ラインＨよりも下方に撮像されることから、仮に水平ラインＨの補正を行わずに光源認識を行った場合、これが前方車両であると誤認識されることが懸念される。
そこで、実施例１においては、自車両２００が上り坂を走行している場合には、勾配値に応じて、水平ラインＨを下方へシフトさせる補正を行っている。
このシフト量は、勾配値の増加に応じて大きくなるように設定される。
以上説明した水平ラインＨのオフセットを行った後、ステップＳ０７に進む。
【００３３】
＜ステップＳ０５：光源相対距離計算＞
カメラユニット２０は、公知のステレオ画像処理によって、自車両から光源までの相対距離を検出し、前照灯制御ユニット３０に逐次伝達する。
その後、ステップＳ０６に進む。
【００３４】
＜ステップＳ０６：動的光源判断＞
前照灯制御ユニット３０は、ステップＳ０５において取得した自車両から光源までの相対距離の時間履歴に基づいて、光源の自車両に対する相対速度及び相対移動方向を算出する。
前照灯制御ユニット３０は、光源の自車両に対する相対速度等、及び、走行情報検出ユニット５０から提供される自車両の車速や旋回状態に基づいて、光源の対地移動速度及び方向を算出する。
そして、光源の対地移動速度が所定値以上である場合には、当該光源が対向車、先行車等の移動光源であると認識し、ステップＳ０９に進む。
一方、光源の対地移動速度が所定値未満である場合には、街灯などの静止光源であると認識し、ステップＳ０７に進む。
【００３５】
＜ステップＳ０７：通常車両検出＞
前照灯制御ユニット３０は、上述した通常の車両検出（光源認識）を行う。
その後、ステップＳ０８に進む。
【００３６】
＜ステップＳ０８：前方車両判断＞
前照灯制御ユニット３０は、ステップＳ０７において前方車両（対向車又は先行車）を検出した場合には、ステップＳ０９に進み、前方車両を検出しなかった場合には、ステップＳ０１に戻って以降の処理を繰り返す。
【００３７】
＜ステップＳ０９：ハイビーム消灯＞
前照灯制御ユニット３０は、コントローラ２０に制御信号を出力し、左側前照灯１１、右側前照灯１２をともにハイビーム消灯かつロービーム点灯状態とする。
その後、一連の処理を終了（リターン）する。
【００３８】
以上説明した実施例１によれば、自車両２００が下り勾配を有する路面を走行している場合には、水平ラインＨを上方にオフセットすることによって、自車両２００から見上げる方向に存在する前方車両を適切に検出することが可能となる。
これによって、前方車両を早期に発見してハイビーム消灯することができ、グレアを与えることを防止できる。
一方、自車両２００が上り勾配を有する路面を走行している場合には、水平ラインＨを下方にオフセットすることによって、地面よりも上方に存在する街灯１０５等の光源を前方車両と誤認識することを防止できる。
また、ステレオカメラを用いて光源の速度を検出することによって、検出された光源が対向車、先行車等の移動光源であるか、街灯などの固定光源であるかを精度よく判別することができる。
【実施例２】
【００３９】
次に、本発明を適用した前照灯制御装置の実施例２について説明する。
以下、上述した実施例１と実質的に共通する箇所については同じ符号を付して説明を省略し、主に相違点について説明する。
実施例２の前照灯制御装置は、実施例１における勾配検出手段６０に代えて、図示しないナビゲーション装置を用いて、自車両前方における自車両の走行車線の勾配の現在走行中の路面の勾配に対する変化を検出し、勾配の変化に応じて水平ラインＨをオフセット補正するものである。
ナビゲーション装置は、車線形状、勾配を含む地形データ（地図データ）を保持するとともに、ＧＰＳ等の自車両位置検出手段を備えている。
【００４０】
前照灯制御ユニット３０は、自車両前方における勾配が、上り方向に変化する場合には、その変化量に応じて水平ラインＨを上方にオフセットする補正を行う。
ここで、勾配が上り方向に変化するとは、例えば、現在下り坂を走行しており前方で平坦路となっている場合、現在下り坂を走行しており前方で傾斜が緩やかとなっている場合、現在下り坂又は平坦路を走行しており前方で上り坂となっている場合、現在上り坂を走行しており前方で傾斜が急となっている場合などが該当する。
【００４１】
一方、前照灯制御ユニット３０は、自車両前方における勾配が、下り方向に変化する場合には、その変化量に応じて水平ラインＨを下方にオフセットする補正を行う。
ここで、勾配が下り方向に変化するとは、例えば、現在上り坂を走行しており前方で平坦路となっている場合、現在上り坂を走行しており前方で傾斜が緩やかとなっている場合、現在上り坂又は平坦路を走行しており前方で下り坂となっている場合、現在下り坂を走行しており前方で傾斜が急となっている場合などが該当する。
【００４２】
以上説明した実施例２によれば、自車両前方の勾配変化に応じて水平ラインＨを上方、下方にオフセットすることによって、水平ラインＨを適切に設定し、上述した実施例１の効果と実質的に同様の効果をより確実に得ることができる。
【００４３】
（変形例）
本発明は、以上説明した実施例に限定されることなく、種々の変形や変更が可能であって、それらも本発明の技術的範囲内である。
（１）前照灯制御装置や、前照灯の構成は上述した実施例に限らず、適宜変更することが可能である。
例えば、実施例では、オートハイビーム制御はハイビームとロービームとを切り替えているが、これに限らず、例えば、ハイビーム用として複数の配光パターンを有する前照灯において、ハイビーム用の配光パターンを前方光源の認識結果に応じてグレアが抑制されるよう切り替えるものであってもよい。
（２）実施例では、前照灯の光源としてＬＥＤ光源を用いているが、これに限らず、他種類の光源であってもよい。また、光学系の種類も特に限定されない。
【符号の説明】
【００４４】
１    前照灯制御装置
１１    左側前照灯                    １２    右側前照灯
２０    コントローラ                  ３０    前照灯制御ユニット
３１    スイッチ                      ３２    照度センサ
４０    カメラユニット                ５０    走行情報検出ユニット
１００    画像                        １０１    自車両走行車線
１０２    対向車線                    １０３    ガードレール
１０４    反射板                      １０５    街灯
１０６    対向車                      ２００    自車両
【図１】
2015044426.tif 000003
【図２】
2015044426.tif 000004
【図３】
2015044426.tif 000005
【図４】
2015044426.tif 000006
【図５】
2015044426.tif 000007